(57)【特許請求の範囲】
【請求項１】
画像を表示する表示部と操作者による前記表示部に対する接触操作を検出する検出部とを有するタッチパネルと、
前記画像に関するデータを記憶する記憶部と、
前記画像に関するデータを送信する送信部と、
前記タッチパネルの前記表示部に対する前記操作者による１の接触操作により指定された方向に存在する前記画像に関するデータを送信する送信先装置を特定する特定制御部と、
特定された前記送信先装置から前記画像に関するデータの受信が可能か否かの情報を取得し、前記表示部に表示する表示制御部と、
前記送信先装置が前記画像に関するデータを受信可能である場合、前記送信先装置に前記画像に関するデータを送信する送信制御部と
を備えることを特徴とする通信装置。
【請求項２】
前記送信先装置が予め登録されている場合には、前記表示部に前記送信先装置に関する情報を表示することを特徴とする請求項１に記載の通信装置。
【請求項３】
前記送信先装置が特定された場合には、前記記憶部に記憶されている前記データの中から前記送信先装置に送信するデータを選択することを特徴とする請求項１または請求項２に記載の通信装置。
【請求項４】
画像を表示する表示部と操作者による前記表示部に対する接触操作を検出する検出部とを有するタッチパネルと、
データを受信する受信部と、
前記タッチパネルの前記表示部に対する前記操作者による１の接触操作により指定された方向に存在する前記データの送信を要求する送信元装置を特定する特定制御部と、
特定された前記送信元装置から送信可能な前記データが有るか否かの情報を取得し、前記表示部に表示する表示制御部と、
送信可能な前記データが有る場合、前記送信元装置から前記データを受信する受信制御部と
を備えることを特徴とする通信装置。
【請求項５】
前記送信元装置が予め登録されている場合には、前記表示部に前記送信元装置に関する情報を表示することを特徴とする請求項４に記載の通信装置。
【発明の詳細な説明】
【技術分野】
【０００１】
本発明は、通信装置に関するものである。
【背景技術】
【０００２】
従来、ＵＳＢケーブルで接続された端末に対してデータの送信を行う多目的携帯型情報端末が存在する（例えば、特許文献１参照）。この多目的携帯型情報端末においては、ジョグダイヤルまたは機能選択ボタンの操作により、端末に送信するデータの選択及び選択されたデータの送信が行われる。
【先行技術文献】
【特許文献】
【０００３】
【特許文献１】特開２００６−２０９０３９号公報
【発明の概要】
【発明が解決しようとする課題】
【０００４】
上述の多目的携帯型情報端末においては、端末に対してデータの送信を行う際に、送信に関する操作をジョグダイヤルまたは機能選択ボタンで行わなければならず煩雑な操作が必要であった。
【０００５】
本発明の目的は、操作者の直感的な１の操作によりデータの送受信を行うことができる通信装置を提供することである。
【課題を解決するための手段】
【０００６】
本発明の通信装置は、画像を表示する表示部と操作者による前記表示部に対する接触操作を検出する検出部とを有するタッチパネルと、前記画像に関するデータを記憶する記憶部と、前記画像に関するデータを送信する送信部と、前記タッチパネルの前記表示部に対する前記操作者による１の接触操作により指定された方向に存在する前記画像に関するデータを送信する送信先装置を特定する特定制御部と、特定された前記送信先装置から前記画像に関するデータの受信が可能か否かの情報を取得し、前記表示部に表示する表示制御部と、前記送信先装置が前記画像に関するデータを受信可能である場合、前記送信先装置に前記画像に関するデータを送信する送信制御部とを備えることを特徴とする。
【０００７】
また、本発明の通信装置は、画像を表示する表示部と操作者による前記表示部に対する接触操作を検出する検出部とを有するタッチパネルと、データを受信する受信部と、前記タッチパネルの前記表示部に対する前記操作者による１の接触操作により指定された方向に存在する前記データの送信を要求する送信元装置を特定する特定制御部と、特定された前記送信元装置から送信可能な前記データが有るか否かの情報を取得し、前記表示部に表示する表示制御部と、送信可能な前記データが有る場合、前記送信元装置から前記データを受信する受信制御部とを備えることを特徴とする。
【発明の効果】
【０００８】
本発明によれば、操作者の直感的な１の操作によりデータの送受信を行うことができる。
【図面の簡単な説明】
【０００９】
【図１】第１の実施の形態に係る通信装置のシステム構成を示すブロック図である。
【図２】第１の実施の形態に係る通信装置のデータ送信処理を示すフローチャートである。
【図３】第１の実施の形態に係る画像データの送信を示す図である。
【図４】第２の実施の形態に係る通信装置のデータ送信処理を示すフローチャートである。
【図５】第２の実施の形態に係る通信装置の周辺に存在する端末を示す図である。
【図６】第２の実施の形態に係るＬＣＤ表示部における表示状態を示す図である。
【発明を実施するための形態】
【００１０】
以下、図面を参照して本発明の第１の実施の形態に係る通信装置について説明する。図１は、第１の実施の形態に係る通信装置のシステム構成を示すブロック図である。図１に示すように、通信装置２は、通信装置２の各部を統括的に制御するＣＰＵ４を備えている。ＣＰＵ４は、通信装置２の各部間で制御信号を送受信するためのバス６に接続されており、バス６には、ＣＰＵ４が実行するプログラムを記憶するＲＯＭ１０、送受信されるデータ等が一時的に記憶されるバッファメモリ１４、画像、音楽及び予め登録される装置に関する情報である装置情報等のデータが記憶されるメモリカード１６、画像や時刻等の情報を表示するＬＣＤ表示部１８と操作者によるＬＣＤ表示部１８に対する接触操作を検出する検出部２０を有するタッチパネル２２、無線通信を行う無線通信部２６が接続されている。
【００１１】
次に、図２に示すフローチャートを参照して、本発明の実施の形態に係る通信装置２のデータ送信処理について説明する。操作者が図示しない電源スイッチを操作して、通信装置２の電源をオンにすると（ステップＳ１０）、ＣＰＵ４は、メモリカード１６に記憶されている画像データを読出し、読出した画像データに基づくサムネイル画像をＬＣＤ表示部１８に表示する（ステップＳ１１）。この状態において、操作者がタッチパネル２２のＬＣＤ表示部１８に表示されているサムネイル画像をタッチすると、検出部２０によりタッチされた位置が検出され送信される画像が選択される。選択されたサムネイル画像はＬＣＤ表示部１８において識別表示される。また、操作者がタッチパネル２２の所定の領域をタッチすることにより、ＬＣＤ表示部１８の表示がメニュー画面に切り替えられ、操作者がメニュー画面に表示される「送信モード」ボタンをタッチするとデータ送信モードに移行する（ステップＳ１２）。
【００１２】
ＣＰＵ４は、データ送信モードに移行すると、操作者にステップ１１において選択された画像の画像データを送信する装置が存在する方向を入力させるための表示、例えば「データを送信する装置の方向をタッチパネル上において入力してください。」のメッセージをＬＣＤ表示部１８に表示する。ここで、図３に示すように、操作者がタッチパネル２２に対して１の接触操作（タッチ入力）３０を行うことにより、画像データを送信する装置が存在する方向を入力すると（ステップＳ１３）、ＣＰＵ４は、無線通信部２６により接触操作により指定された方向に存在する装置をサーチする（ステップＳ１４）。即ち、接触操作により指定された方向に向けて無線通信を確立するための信号の送信を行い、接触操作により指定された方向に存在する装置から返信される信号を無線通信部２６により受信すると、その装置との間で無線通信が確立する。これにより、例えば端末３４を画像データを送信する送信先の端末として特定する（ステップＳ１５）。そして、ステップＳ１１で選択された画像データ３６を端末３４に送信する（ステップＳ１６）。
【００１３】
この第１の実施の形態に係る通信装置によれば、タッチパネルに対する操作者の１の接触操作により、画像データを送信する送信先の装置の特定及び画像データの送信を行うことができる。従って、操作者の直感的な１の操作により画像データの送信を行うことができる。また、接触操作により指定された方向に存在する装置と無線通信するため、有線ケーブルを用いた場合の煩雑な接続の作業を行わずに、その装置に画像データを送信することができる。
【００１４】
なお、上述の第１の実施の形態において、接触操作により指示した方向に複数の装置が存在する場合には、各装置から返信される信号の強度が最も大きい装置を、画像データを送信する送信先の装置として特定する。
【００１５】
また、上述の第１の実施の形態においては、画像データを送信する送信先の装置として端末３４を特定し画像データ３６の送信を行っているが、画像データの送信を要求する送信元の装置として端末３４を特定して、端末３４から画像データを受信するようにしてもよい。この場合には、先ず操作者はタッチパネル２２のＬＣＤ表示部１８に表示されるメニュー画面の「受信モード」ボタンをタッチすることにより、通信装置２をデータ受信モードに移行させる。データ受信モードに移行すると、ＣＰＵ４は、操作者に画像データの送信を要求する装置が存在する方向を入力させるための情報、例えば「データの送信を要求する装置の方向をタッチパネル上において入力してください。」のメッセージをＬＣＤ表示部１８に表示する。ここで、操作者がタッチパネル２２に対して１の接触操作を行うことにより、画像データの送信を要求する装置が存在する方向を入力すると、ＣＰＵ４は、ステップＳ１４と同様に、接触操作により指定した方向に存在する装置をサーチする。そして、ステップＳ１５と同様にして、画像データを送信する送信元の装置として端末３４を特定すると、端末３４に対して画像データの送信を要求する信号の送信を行い、無線通信部２６により端末３４から送信される画像データを受信し、受信された画像データをメモリカード１６に記憶する。これにより、タッチパネルに対する操作者の１の接触操作により、画像データを送信する送信元の装置の特定及び画像データの受信を行うことができる。従って、操作者の直感的な１の操作により画像データの受信を行うことができる。
【００１６】
次に、本発明の第２の実施の形態に係る通信装置について説明する。なお、第２の実施の形態に係る通信装置の構成は、図１に示す通信装置２と同様であるため、第２の実施の形態に係る通信装置の説明においては、第１の実施の形態に係る通信装置の構成に付したのと同一の符号を用いる。
【００１７】
図４は、本発明の第２の実施の形態に係る通信装置２のデータ送信処理について説明するフローチャートである。操作者が図示しない電源スイッチを操作して、通信装置２の電源をオンにすると、ＣＰＵ４は、ＬＣＤ表示部１８にメニュー画面を表示する。操作者がメニュー画面で表示される「送信モード」ボタンをタッチすると、データ送信モードに移行する（ステップＳ２０）。次に、無線通信部２６により通信装置２の周辺に存在する装置をサーチする（ステップＳ２１）。即ち、通信装置２の周辺に存在する装置との間で無線通信を確立するための信号の送信を行い、通信装置２の周辺に存在する装置から返信される信号を無線通信部２６により受信すると、その装置との間で無線通信が確立する。これにより、通信装置２の周辺に存在する装置の有無を判定する（ステップＳ２２）。ＣＰＵ４は、通信装置２の周辺に装置が存在すると判定した場合には（ステップＳ２２、Ｙｅｓ）、操作者に装置情報が登録済みの装置に画像データを送信するか否かを入力させるための表示、例えば「登録済みの装置に送信しますか？」のメッセージ並びに「はい」及び「いいえ」のボタンをＬＣＤ表示部１８に表示する。ここで、操作者の選択により登録済みの装置に送信するか否かを決定する（ステップＳ２３）。
【００１８】
操作者が、ＬＣＤ表示部１８に表示されている「はい」ボタンをタッチすると（ステップＳ２３、Ｙｅｓ）、図５に示すように、通信装置２の周辺の通信可能領域４０に登録済みの端末Ａ及び端末Ｂが存在する場合には、ＣＰＵ４は、図６に示すように、ＬＣＤ表示部１８の一部に通信装置２の位置を示す画像２´、端末Ａの位置を示す画像４２及び端末Ｂの位置を示す画像４４を含む画像４６を表示する（ステップＳ２４）。ここで、端末Ａ及び端末Ｂは装置情報が登録済みであるため、画像４６に表示される位置を示す画像４２，４４には、装置情報に登録されているユーザの顔の画像、装置の名称及び登録番号が表示される。なお、この場合には装置情報が登録されていない装置は画像４６に表示されない。
【００１９】
ここで、画像４６に表示される装置の位置を示す画像４２に対して、操作者が１の接触操作（タッチ入力）を行うと、端末Ａが画像データを送信する送信先の装置として選択される（ステップＳ２５）。送信先の装置が選択されると、ＣＰＵ４は、メモリカード１６に記憶されている画像データの中から、端末Ａの装置情報を参照して端末Ａに関する画像データを選択し（ステップＳ２６）、選択された画像データを端末Ａに送信する（ステップＳ２７）。
【００２０】
一方、ステップＳ２３において、操作者が、ＬＣＤ表示部１８に表示される「いいえ」ボタンをタッチすると（ステップＳ２３、Ｎｏ）、ＣＰＵ４は、メモリカード１６に記憶されている画像データを読出し、読出した画像データに基づくサムネイル画像をＬＣＤ表示部１８に表示する（ステップＳ２８）。この状態において、操作者がタッチパネル２２のＬＣＤ表示部１８に表示されているサムネイル画像をタッチすると、送信する画像が選択され、選択されたサムネイル画像は識別表示される。また、操作者がＬＣＤ表示部１８に表示される「選択終了」ボタンをタッチすると、ＣＰＵ４は、操作者に選択された画像の画像データを送信する装置が存在する方向を入力させるための表示をＬＣＤ表示部１８に表示する。操作者が、ステップＳ１３と同様にタッチパネル２２に対して１の接触操作（タッチ入力）を行い、画像データを送信する装置が存在する方向を入力すると（ステップＳ２９）、ＣＰＵ４は、ステップＳ１４と同様に、接触操作により指定した方向に存在する装置をサーチする（ステップＳ３０）。そして、ステップＳ１５と同様にして、画像データを送信する送信先の装置として端末を特定すると、選択された画像データを特定された端末に送信する（ステップＳ３１）。なお、ステップＳ２２において、通信装置２の周辺に装置がないと判定された場合には、送信処理を終了する（ステップＳ２２、Ｎｏ）。
【００２１】
この第２の実施の形態に係る通信装置によれば、タッチパネルに対する操作者による１の接触操作により、画像データを送信する送信先の装置の選択、選択された送信先の装置に関する画像データの選択及び画像データの送信を行うことができる。従って、操作者の直感的な１の操作により画像データの送信を行うことができる。
【００２２】
なお、上述の第２の実施の形態においては、操作者の選択により、画像データを送信する送信先の装置として端末Ａを選択し画像データの送信を行っているが、画像データの送信を要求する送信元の装置として端末Ａを選択して、端末Ａから画像データを受信するようにしてもよい。この場合には、ステップＳ２４において、操作者はタッチパネル２２のＬＣＤ表示部１８に表示されるメニュー画面の「受信モード」ボタンをタッチすることにより、通信装置２をデータ受信モードに移行させる。データ受信モードに移行すると、ＣＰＵ４は、ＬＣＤ表示部１８の一部に画像４６を表示する。ここで、画像４６に表示される装置の位置を示す画像４２に対して、操作者が１の接触操作（タッチ入力）を行うと、端末Ａが画像データの送信を要求する送信元の装置として選択される。送信元の装置が選択されると、ＣＰＵ４は、端末Ａに対して画像データの送信を要求する信号の送信を行い、無線通信部２６により端末Ａから送信される画像データを受信し、受信された画像データをメモリカード１６に記憶する。
【００２３】
また、上述の第２の実施の形態において、画像データを送信する送信先の装置が選択された場合には、選択された装置から画像データの受信が可能か否かの情報を取得し、その情報をＬＣＤ表示部１８に表示してもよい。即ち、ステップＳ２５において、端末Ａが画像データを送信する送信先の装置として選択された場合に、ＣＰＵ４は、端末Ａに対して画像データの受信が可能か否かの情報を要求する信号の送信を行う。そして、無線通信部２６により端末Ａから画像データの受信が可能である旨の情報を受信すると、画像４６に表示される装置の位置を示す画像４２には、ユーザの顔の画像、装置の名称及び登録番号に加えて、「ＯＫ」のメッセージを表示する。一方、無線通信部２６により端末Ａから画像データの受信が不可能である旨の情報を受信すると、画像４２にはユーザの顔の画像、装置の名称及び登録番号に加えて「ＮＧ」のメッセージを表示する。
【００２４】
また、上述の実施の形態において、端末Ａから画像データを受信する場合に、端末Ａから送信可能な画像データが有るか否かの情報を受信し、その情報をＬＣＤ表示部１８に表示してもよい。即ち、端末Ａが画像データの送信を要求する送信元の装置として選択された場合に、ＣＰＵ４は、端末Ａに対して、端末Ａが送信可能な画像データを有しているか否かの情報の送信を要求する信号の送信を行う。そして、端末Ａから送信可能な画像データを有している旨の情報を受信すると、画像４６に表示される装置の位置を示す画像４２には、ユーザの顔の画像、装置の名称及び登録番号に加えて、「データ有」のメッセージを表示する。一方、無線通信部２６により端末Ａ４２から送信可能な画像データが無い旨の情報を受信すると、画像４２にはユーザの顔の画像、装置の名称及び登録番号に加えて「データ無」のメッセージを表示する。
【００２５】
また、上述の第２の実施の形態において、ステップＳ２６で選択された画像データの中から、操作者が、端末Ａへ送信する画像データを選択してもよい。この場合には、ＣＰＵ４は、ステップＳ２６で選択された画像データを読出し、読出した画像データに基づくサムネイル画像をＬＣＤ表示部１８に表示する。この状態において、操作者がタッチパネル２２のＬＣＤ表示部１８に表示されているサムネイル画像をタッチすることにより、送信する画像を選択し、ＬＣＤ表示部１８に表示される「送信」ボタンをタッチすると、ＣＰＵ４は選択された画像の画像データを端末Ａに送信する。
【００２６】
なお、上述の実施の形態においては、通信装置２を用いて画像データの送受信を行っているが、タッチパネル及び無線通信部を備えていれば通信装置２に限定されるものではなく、通信装置２に代えてタッチパネルを備える携帯電話を用いてもよい。
【符号の説明】
【００２７】
２…通信装置、４…ＣＰＵ、１６…メモリカード、１８…ＬＣＤ表示部、２２…タッチパネル、２６…無線通信部。
【図１】
0005477136.tif 000002
【図２】
0005477136.tif 000003
【図３】
0005477136.tif 000004
【図４】
0005477136.tif 000005
【図５】
0005477136.tif 000006
【図６】
0005477136.tif 000007